(57)【要約】【課題】無線装置から無線中継装置を介して情報収集装置に送信される計測情報の伝送の信頼性を高めることができる計測情報収集システムを提供する。【解決手段】各観測局１２（ｉ）の雨量計２２は、計測した降雨量を降雨量情報として無線装置２４に出力し、無線装置２４は、入力された前記降雨量情報と、自己を識別する無線装置識別データとを含む計測情報フレームを無線１４、２０を介して２つの無線中継装置１６（ｊ）に各々送信する。各無線中継装置１６（ｊ）は、受信した前記計測情報フレームに自己を識別する無線中継装置識別データを付与し、前記データが付与された前記計測情報フレームを無線１５を介して情報収集装置２６に送信する。情報収集装置２６は、２つの無線中継装置１６（ｊ）を経由する２つのルートを介して受信された前記各計測情報フレームに含まれる前記降雨量情報を各々収集する。【選択図】図１
2005341451.tif 000002
【特許請求の範囲】
【請求項１】
計測地点に設置される計測装置と、前記計測装置に接続される無線装置と、前記無線装置に対して少なくとも２つの無線中継装置を介して接続される情報収集装置と、
を備え、
前記計測装置は、前記計測地点で計測した計測情報を前記無線装置に出力し、
前記無線装置は、前記各無線中継装置に前記計測情報を各々送信し、
前記各無線中継装置は、受信した前記計測情報を前記情報収集装置に各々送信し、
前記情報収集装置は、前記各計測情報を受信する
ことを特徴とする計測情報収集システム。
【請求項２】
請求項１記載の計測情報収集システムにおいて、
前記計測装置は、前記計測地点の降雨量を計測し、前記計測情報としての降雨量情報を前記無線装置に出力する雨量計である
ことを特徴とする計測情報収集システム。
【請求項３】
請求項１又は２記載の計測情報収集システムにおいて、
前記無線装置は、自己を識別する無線装置識別データと前記計測情報とを含む計測情報フレームを前記各無線中継装置に各々送信し、
前記各無線中継装置は、受信した前記計測情報フレームを前記情報収集装置に各々送信し、
前記情報収集装置は、受信した前記各計測情報フレーム内の前記各無線装置識別データから前記各無線装置を識別し、同一の前記無線装置からの前記各計測情報が一致するか否かを判定する
ことを特徴とする計測情報収集システム。
【請求項４】
請求項３記載の計測情報収集システムにおいて、
前記各無線中継装置は、受信した前記計測情報フレームに対して自己を識別する無線中継装置識別データを付与し、前記無線中継装置識別データを付与した前記計測情報フレームを前記情報収集装置に各々送信し、
前記情報収集装置は、受信した前記各計測情報フレーム内の前記各無線中継装置識別データから前記各無線中継装置を識別する
ことを特徴とする計測情報収集システム。
【請求項５】
計測地点に設置される計測装置と、前記計測装置に接続される無線装置と、前記無線装置に対して無線により直接接続されると共に、無線中継装置を介して接続される情報収集装置と、
を備え、
前記計測装置は、前記計測地点で計測した計測情報を前記無線装置に出力し、
前記無線装置は、前記無線中継装置及び前記情報収集装置に前記計測情報を各々送信し、
前記無線中継装置は、受信した前記計測情報を前記情報収集装置に送信し、
前記情報収集装置は、前記無線中継装置からの前記計測情報と、前記無線による前記無線装置からの前記計測情報とを各々受信する
ことを特徴とする計測情報収集システム。
【請求項６】
請求項５記載の計測情報収集システムにおいて、
前記計測装置は、前記計測地点の降雨量を計測し、前記計測結果としての降雨量情報を前記無線装置に出力する雨量計である
ことを特徴とする計測情報収集システム。
【請求項７】
請求項５又は６記載の計測情報収集システムにおいて、
前記無線装置は、自己を識別する無線装置識別データと前記計測情報とを含む計測情報フレームを前記無線中継装置と前記情報収集装置とに各々送信し、
前記無線中継装置は、受信した前記計測情報フレームを前記情報収集装置に送信し、
前記情報収集装置は、受信した前記各計測情報フレーム内の前記各無線装置識別データから前記無線装置を識別し、同一の前記無線装置からの前記計測情報が一致するか否かを判定する
ことを特徴とする計測情報収集システム。
【請求項８】
請求項７記載の計測情報収集システムにおいて、
前記無線中継装置は、受信した前記計測情報フレームに対して自己を識別する無線中継装置識別データを付与し、前記無線中継装置識別データを付与した前記計測情報フレームを前記情報収集装置に送信し、
前記情報収集装置は、受信した前記計測情報フレーム内の前記無線中継装置識別データから前記無線中継装置を識別する
ことを特徴とする計測情報収集システム。
【発明の詳細な説明】
【技術分野】
【０００１】
本発明は、所望の計測地点に設置された計測装置に接続される無線装置と、前記無線装置に無線中継装置を介して接続される情報収集装置とを備える計測情報収集システムに関する。
【背景技術】
【０００２】
従来技術に係る計測情報収集システム１００は、図１０に示すように、山間部に複数設置された観測局１０２（ｉ）（ｉ＝１〜ｎ）と、各観測局１０２（ｉ）に無線１０４を介して接続される無線中継装置１０６（ｊ）（ｊ＝１〜ｍ）と、一部の観測局１０２（ｉ）に無線１０４を介して接続され且つ無線中継装置１０６（ｊ）に無線１０５を介して接続される監視局１０８とから構成されている。
【０００３】
各観測局１０２（ｉ）の雨量計１１０は、自己の設置位置（計測地点）における降雨量を所定時間毎に計測し、この計測結果を降雨量情報として無線装置１１２に順次出力する。無線装置１１２は、所定時間毎に入力された前記降雨量情報と、自己を識別する無線装置識別データとを含む計測情報フレームを、無線中継装置１０６（ｊ）に順次送信する。無線中継装置１０６（ｊ）は、受信した前記計測情報フレームを監視局１０８に送信する。
【０００４】
監視局１０８の情報収集装置１１４は、各無線中継装置１０６（ｊ）から受信した前記各計測情報フレーム内の前記降雨量情報を所定時間毎に収集し、収集した前記各降雨量情報を画面情報生成処理装置１１６に出力する。画面情報生成処理装置１１６は、入力された前記各降雨量情報より、前記各計測地点における各降雨量を示す１画面分の画面情報を作成し、この画面情報を監視端末装置１１８に出力する。監視端末装置１１８は、入力された前記画面情報の示す内容をディスプレイに順次表示する。
【０００５】
また、計測情報収集システム１００では、情報収集装置１１４で受信される前記各降雨量情報が、無線中継装置１０６（ｊ）を介して受信された情報であるか、あるいは観測局１０２（ｉ）から直接受信した情報であるか否かを情報収集装置１１４において把握にするために、各無線中継装置１０６（ｊ）において、（１）前記計測情報フレーム内の前記無線装置識別データを変更する処理、又は（２）前記計測情報フレームを示す電波の周波数を変換する処理、のいずれかの処理を行う。
【０００６】
（１）の場合、各無線中継装置１０６（ｊ）は、前記計測情報フレームを受信すると前記無線装置識別データを変更し、変更した前記計測情報フレームを情報収集装置１１４に各々送信する。一方、（２）の場合、各無線中継装置１０６（ｊ）は、前記計測情報フレームを受信すると前記電波の周波数を変換し、前記周波数が変換された前記計測情報フレームを情報収集装置１１４に各々送信する。なお、（２）の場合、無線中継装置１０６（ｊ）は、前記無線装置識別データの変更処理を行わない。
【０００７】
また、近年の計測情報収集システム１２０は、図１１に示すように、無線中継装置１０６（ｊ）の故障を考慮して、各無線装置１１２（ｉ）と情報収集装置１１４との間を有線のケーブル１２２で接続し、各無線装置１１２（ｉ）からケーブル１２２を介して情報収集装置１１４に前記計測情報フレームを直接送信するようにしている（特許文献１参照）。
【０００８】
【特許文献１】特開平８−１４９５８２号公報
【発明の開示】
【発明が解決しようとする課題】
【０００９】
図１０の計測情報収集システム１００において、観測局１０２（ｉ）から無線中継装置１０６（ｊ）を介して情報収集装置１１４に計測情報フレームを送信する場合、この無線中継装置１０６（ｊ）で故障が発生すると、観測局１０２（ｉ）と情報収集装置１１４との間の通信が遮断されるので、この観測局１０２（ｉ）からの前記計測情報フレームを情報収集装置１１４で受信して、降雨量情報を収集することができないという不都合がある。
【００１０】
前述した無線中継装置１０６（ｊ）の故障のほかにも、雨量計１１０で所定時間毎に降雨量の計測を行わなかった場合、無線装置１１２が故障した場合、無線装置１１２から無線中継装置１０６（ｊ）に対する無線１０４の見通しが良好でない場合、無線中継装置１０６（ｊ）から情報収集装置１１４に対する無線１０５の見通しが良好でない場合でも、情報収集装置１１４は前記計測情報フレームを受信して、前記降雨量情報を収集することができない。しかも、上述したいずれの場合でも情報収集装置１１４は前記降雨量情報を収集することはできないので、この計測情報収集システム１００では、どの原因によって前記降雨量情報を収集できないのかを監視局１０８で判定することはできない。
【００１１】
また、（１）の中継方式の場合、観測局１０２（ｉ）の設置数が増加すると、無線中継装置１０６（ｊ）では、変更すべき無線装置識別データの数が増加して変更ミスが発生しやすくなり、情報収集装置１１４は正確な降雨量情報を収集することができない。
【００１２】
さらに、（２）の中継方式の場合、無線１０４を介して無線中継装置１０６（ｊ）に接続される観測局１０２（ｉ）の設置数が増加することによって、各無線中継装置１０６（ｊ）では、増加した観測局１０２（ｉ）の設置数に対応して、各観測局１０２（ｉ）から計測情報フレームを受信する設備と、無線１０５を介して情報収集装置１１４に前記計測情報フレームを送信するための設備とを増設する必要がある。これにより、計測情報収集システム１００の構築コストが高騰する。
【００１３】
一方、図１１の計測情報収集システム１２０では、各観測局１０２（ｉ）の無線装置１１２（ｉ）と、この無線装置１１２（ｉ）の遠隔地に設置された情報収集装置１１４とを、有線のケーブル１２２で各々接続しているので、これらのケーブル１２２の敷設費用によって計測情報収集システム１２０の構築コストが高騰する。
【００１４】
本発明は、上述した課題を解決するためになされたものであり、無線装置から無線中継装置を介して情報収集装置に送信される計測情報の伝送の信頼性を高めることができる計測情報収集システムを提供することを目的とする。
【課題を解決するための手段】
【００１５】
本発明に係る計測情報収集システムは、計測地点に設置される計測装置と、前記計測装置に接続される無線装置と、前記無線装置に対して少なくとも２つの無線中継装置を介して接続される情報収集装置と、を備え、前記計測装置は、前記計測地点で計測した計測情報を前記無線装置に出力し、前記無線装置は、前記各無線中継装置に前記計測情報を各々送信し、前記各無線中継装置は、受信した前記計測情報を前記情報収集装置に各々送信し、前記情報収集装置は、前記各計測情報を受信することを特徴とする。
【００１６】
前記無線装置は、入力された前記計測情報を前記２つの無線中継装置を介して前記情報収集装置に送信するので、前記情報収集装置は、前記計測情報を２つのルートから受信することになる。これにより、前記情報収集装置は、一方のルートに設置された無線中継装置が故障しても、他方のルートに設置した無線中継装置を介して前記計測情報を確実に受信することができるので、１つのルートで計測情報を収集する従来技術に係る計測情報収集システムと比較して、システム全体の信頼性を高めることができる。
【００１７】
また、本発明に係る計測情報収集システムでは、前記情報収集装置が無線による前記２つのルートを介して前記計測情報を受信するので、無線と有線とを併用する従来技術に係る計測情報収集システムと比較して、低コスト且つ短期間でシステムを構築することが可能となる。
【００１８】
ここで、前記計測装置は、前記計測地点の降雨量を計測し、前記計測情報としての降雨量情報を前記無線装置に出力する雨量計であることが好ましい。これにより、山間部における前記各降雨量を前記情報収集装置で確実に収集することが可能となる。なお、前記計測地点は、例えば、河川の上流域である山間部とされる。
【００１９】
また、前記無線装置は、自己を識別する無線装置識別データと前記計測情報とを含む計測情報フレームを前記各無線中継装置に各々送信し、前記各無線中継装置は、受信した前記計測情報フレームを前記情報収集装置に各々送信し、前記情報収集装置は、受信した前記各計測情報フレーム内の前記各無線装置識別データから前記無線装置を識別し、同一の前記無線装置からの前記各計測情報が一致するか否かを判定することが好ましい。
【００２０】
これにより、前記情報収集装置で受信した前記各計測情報が、前記無線装置からの計測情報であるか否かを判定することが可能となり、前記無線装置から前記計測情報を確実に収集することができる。
【００２１】
さらに、前記各無線中継装置は、受信した前記計測情報フレームに対して自己を識別する無線中継装置識別データを付与し、前記無線中継装置識別データを付与した前記計測情報フレームを前記情報収集装置に各々送信し、前記情報収集装置は、受信した前記各計測情報フレーム内の前記各無線中継装置識別データから前記各無線中継装置を識別することが好ましい。
【００２２】
これにより、どのルートを介して前記計測情報が収集されたのかを容易に把握することができる。そのため、前記無線装置識別データの変更処理や、前記計測情報フレームを示す電波の周波数の変換処理が不要となり、前記各無線中継装置の内部構成が簡素化される。従って、従来技術に係る計測情報収集システムと比較して、システム全体の構築コストを低減することが可能となる。
【００２３】
また、前記情報収集装置は、受信された前記各計測情報フレームを調べることにより、２つのルート上における故障箇所を特定することが可能となる。
【００２４】
すなわち、前記情報収集装置は、２つのルートを介して受信された前記各計測情報フレームに関し、前記各計測情報が一致していない場合、前記計測装置が故障しているものと判定する。また、前記情報収集装置は、２つのルートの一方から計測情報フレームを受信できるが、他方のルートから計測情報フレームを受信できない場合、前記情報収集装置は、前記他方のルート上の無線中継装置が故障しているか、あるいは無線の見通しが良好でないものと判定する。さらに、２つのルートを介して前記各計測情報フレームを受信したが、前記各計測情報フレーム内に前記計測情報が含まれていない場合、前記情報収集装置は、前記無線装置が故障しているか、あるいは前記計測装置が計測を行わなかったものと判定する。
【００２５】
また、本発明に係る計測情報収集システムは、計測地点に設置される計測装置と、前記計測装置に接続される無線装置と、前記無線装置に対して無線により直接接続されると共に、無線中継装置を介して接続される情報収集装置と、を備え、前記計測装置は、前記計測地点で計測した計測情報を前記無線装置に出力し、前記無線装置は、前記無線中継装置及び前記情報収集装置に前記計測情報を各々送信し、前記無線中継装置は、受信した前記計測情報を前記情報収集装置に送信し、前記情報収集装置は、前記無線中継装置からの前記計測情報と、前記無線による前記無線装置からの前記計測情報とを各々受信することを特徴とする。
【００２６】
この場合、前記無線装置は、入力された前記計測情報を前記無線中継装置と前記無線とを介して前記情報収集装置に送信するので、前記情報収集装置は、前記計測情報を２つのルートから受信することになる。これにより、前記情報収集装置は、一方のルートに設置された無線中継装置が故障しても、他方のルートである前記無線を介して前記計測情報を確実に受信することができるので、１つのルートで計測情報を収集する従来技術に係る計測情報収集システムと比較して、システム全体の信頼性を高めることができる。
【００２７】
また、本発明に係る計測情報収集システムでは、前記情報収集装置が無線及び無線中継装置による２つのルートを介して前記計測情報を受信するので、無線と有線とを併用する従来技術に係る計測情報収集システムと比較して、低コスト且つ短期間でシステムを構築することが可能となる。
【００２８】
ここで、前記計測装置は、前記計測地点の降雨量を計測し、前記計測結果としての降雨量情報を前記無線装置に出力する雨量計であることが好ましい。これにより、前記計測地点における前記各降雨量を前記情報収集装置で確実に収集することが可能となる。なお、前記計測地点は、例えば、河川の上流域である山間部とされる。
【００２９】
また、前記無線装置は、自己を識別する無線装置識別データと前記計測情報とを含む計測情報フレームを前記無線中継装置と前記情報収集装置とに各々送信し、前記無線中継装置は、受信した前記計測情報フレームを前記情報収集装置に送信し、前記情報収集装置は、受信した前記各計測情報フレーム内の前記各無線装置識別データから前記無線装置を識別し、同一の前記無線装置からの前記計測情報が一致するか否かを判定することが好ましい。
【００３０】
これにより、前記情報収集装置で受信した前記各計測情報が、前記無線装置からの計測情報であるか否かを判定することが可能となり、前記無線装置から前記計測情報を確実に収集することができる。
【００３１】
さらに、前記無線中継装置は、受信した前記計測情報フレームに対して自己を識別する無線中継装置識別データを付与し、前記無線中継装置識別データを付与した前記計測情報フレームを前記情報収集装置に送信し、前記情報収集装置は、受信した前記計測情報フレーム内の前記無線中継装置識別データから前記無線中継装置を識別することが好ましい。
【００３２】
これにより、どのルートを介して前記計測情報が収集されたのかを容易に把握することができる。そのため、前記無線装置識別データの変更処理や、前記計測情報フレームを示す電波の周波数の変換処理が不要となり、前記各無線中継装置の内部構成が簡素化される。従って、従来技術に係る計測情報収集システムと比較して、システム全体の構築コストを低減することが可能となる。
【００３３】
また、前記情報収集装置は、受信された前記各計測情報フレームを調べることにより、２つのルート上における故障箇所を特定することが可能となる。
【００３４】
すなわち、前記情報収集装置は、２つのルートを介して受信された前記各計測情報フレームに関し、前記各計測情報が一致していない場合、前記計測装置が故障しているものと判定する。また、前記情報収集装置は、２つのルートの一方から計測情報フレームを受信できず、他方のルートから計測情報フレームを受信できる場合、前記情報収集装置は、前記一方のルート上の無線中継装置が故障しているか、あるいは無線の見通しが良好でないものと判定する。さらに、２つのルートを介して前記各計測情報フレームを受信したが、前記各計測情報フレーム内に前記計測情報が含まれていない場合、前記情報収集装置は、前記無線装置が故障しているか、あるいは前記計測装置が計測を行わなかったものと判定する。
【発明の効果】
【００３５】
本発明に係る計測情報収集システムによれば、無線装置は、入力された計測情報を２つの無線中継装置を介して情報収集装置に送信するので、前記情報収集装置は、前記計測情報を２つのルートから受信することになる。これにより、前記情報収集装置は、一方のルートに設置された無線中継装置が故障しても、他方のルートに設置した無線中継装置を介して前記計測情報を確実に受信することができるので、１つのルートで計測情報を収集する従来技術に係る計測情報収集システムと比較して、システム全体の信頼性を高めることができる。
【００３６】
また、本発明に係る計測情報収集システムでは、前記情報収集装置が無線による２つのルートを介して前記計測情報を受信するので、無線と有線とを併用する従来技術に係る計測情報収集システムと比較して、低コスト且つ短期間でシステムを構築することが可能となる。
【００３７】
また、本発明に係る計測情報収集システムによれば、無線装置は、入力された計測情報を無線中継装置と無線とを介して情報収集装置に送信するので、前記情報収集装置は、前記計測情報を２つのルートから受信することになる。これにより、前記情報収集装置は、一方のルートに設置された前記無線中継装置が故障しても、他方のルートである前記無線を介して前記計測情報を確実に受信することができるので、１つのルートで計測情報を収集する従来技術に係る計測情報収集システムと比較して、システム全体の信頼性を高めることができる。
【００３８】
また、本発明に係る計測情報収集システムでは、前記情報収集装置が前記無線及び前記無線中継装置による２つのルートを介して前記計測情報を受信するので、無線と有線とを併用する従来技術に係る計測情報収集システムと比較して、低コスト且つ短期間でシステムを構築することが可能となる。
【発明を実施するための最良の形態】
【００３９】
本発明に係る計測情報収集システムを、山間部の降雨量の収集に適用した好適な実施の形態を挙げ、添付の図面を参照しながら以下詳細に説明する。
【００４０】
図１は、本実施の形態に係る計測情報収集システム１０の説明図である。計測情報収集システム１０は、計測地点である河川の上流域の山間部に設置された複数の観測局１２（ｉ）（ｉ＝１〜ｎ）と、各観測局１２（ｉ）に無線１４、２０を介して接続される複数の無線中継装置１６（ｊ）（ｊ＝１〜ｍ）と、各無線中継装置１６（ｊ）や一部の観測局１２（ｉ）に無線１４、１５を介して接続される監視局１８とから構成されている。
【００４１】
図１において、各観測局１２（２）〜１２（５）は、無線１４、２０を介して無線中継装置１６（１）〜１６（３）に各々接続され、これらの無線中継装置１６（１）〜１６（３）は、無線１５を介して監視局１８に各々接続されている。
【００４２】
例えば、観測局１２（３）は、無線１４、無線中継装置１６（１）及び無線１５のルートと、無線２０、無線中継装置１６（２）及び無線１５のルートとの２つのルートを介して監視局１８に接続されている。また、観測局１２（４）は、無線２０、無線中継装置１６（１）及び無線１５のルートと、無線１４、無線中継装置１６（３）、無線１５、無線中継装置１６（２）及び無線１５のルートとの２つのルートを介して監視局１８に接続される。
【００４３】
一方、観測局１２（１）は、無線１４を介して監視局１８に接続され、且つ無線２０を介して無線中継装置１６（１）に接続されている。すなわち、観測局１２（１）は、無線１４のルートと、無線２０、無線中継装置１６（１）及び無線１５のルートとの２つのルートを介して監視局１８に接続される。
【００４４】
このように、本実施の形態に係る計測情報収集システム１０では、各観測局１２（ｉ）が２つのルートを介して監視局１８に各々接続されている。
【００４５】
図２は、観測局１２（ｉ）と、無線中継装置１６（ｊ）を示す無線中継局３２と、監視局１８との内部構成を示すブロック図であり、代表的に、観測局１２（３）と無線中継装置１６（１）と監視局１８とについて示すが、図１に示す他の観測局１２（１）、１２（２）、１２（４）、１２（５）及び他の無線中継装置１６（２）、１６（３）も同様の構成を有している。
【００４６】
観測局１２（３）は、山間部の計測地点に設置された雨量計（計測装置）２２と、雨量計２２に接続される無線装置２４とから構成されている。
【００４７】
雨量計２２は、例えば、前記計測地点の降雨量を転倒ますによって計測する転倒ます型雨量計であり、蓄積された雨水の重みによる前記転倒ますの転倒をセンサで検出し、検出結果としてのパルス信号（降雨量情報）を無線装置２４に出力する。
【００４８】
無線装置２４は、カウンタ３４と、制御部３６と、変調部３８と、送信部４０とから構成される。
【００４９】
カウンタ３４は、雨量計２２から入力される前記パルス信号の数をカウントし、一定時間内にカウントしたパルス数をデジタルデータとして所定時間毎に制御部３６に出力する。なお、制御部３６に出力される前記デジタルデータは、前記一定時間内における前記転倒ますの転倒回数を示している。
【００５０】
制御部３６には、前記転倒ますが転倒する際における貯水量が予め登録されており、所定時間毎に入力された前記デジタルデータと、前記貯水量とから、前記計測地点における前記一定時間内の降雨量を算出し、この降雨量を示すデジタルデータ（降雨量情報）と、無線装置２４を識別する無線装置識別データ（２進数のデジタルデータ）とを含む計測情報フレームを順次生成して変調部３８に出力する。変調部３８は、順次入力された前記計測情報フレームに対して変調処理を行い、この変調信号に搬送波信号を重畳して送信部４０に出力する。送信部４０は、入力された前記変調信号及び前記搬送波信号の重畳信号を電気信号から電波に変換し、前記電波をアンテナ４２から無線１４を介して無線中継装置１６（１）である無線中継局３２に順次送信する。
【００５１】
無線中継装置１６（１）は、送受信部４６と、変復調部４８と、データ書込処理部５２とから構成される。
【００５２】
無線中継局３２が、無線装置２４からの前記電波をアンテナ４４を介して所定時間毎に受信した場合、送受信部４６は、受信した前記電波を電気信号に変換して変復調部４８に順次出力する。変復調部４８は、入力された前記電気信号の復調処理を行って前記計測情報フレームを抽出し、抽出された前記計測情報フレームをデータ書込処理部５２に順次出力する。データ書込処理部５２は、入力された前記計測情報フレーム内の所定箇所に無線中継装置１６（１）を識別する無線中継装置識別データ（２進数のデジタルデータ）を付与する。
【００５３】
前記無線中継装置識別データが付与された前記計測情報フレームは、データ書込処理部５２から変復調部４８に順次出力される。変復調部４８は、入力された前記計測情報フレームに対して変調処理を行い、変調信号に搬送波信号を重畳して送受信部４６に順次出力する。送受信部４６は、入力された前記変調信号及び前記搬送波信号の重畳信号を電気信号から電波に変換し、前記電波をアンテナ４４から無線１５を介して監視局１８に順次送信する。
【００５４】
監視局１８は、情報収集装置２６と、画面情報生成装置２８と、監視端末装置３０とから構成されている。
【００５５】
情報収集装置２６は、無線中継装置１６（１）から前記計測情報フレームを受信して前記計測地点における前記降雨量を収集するものであり、受信部５６と、復調部５８と、制御部６０と、判定処理部６２と、記憶部６４と、通信制御部６６とから構成されている。
【００５６】
受信部５６は、アンテナ５４を介して順次受信された前記電波を電気信号に変換して復調部５８に出力する。
【００５７】
復調部５８は、入力された前記電気信号の復調処理を行って前記計測情報フレームを抽出し、抽出された前記計測情報フレームを制御部６０に順次出力する。制御部６０は、入力された前記計測情報フレームを判定処理部６２と記憶部６４とに各々出力する。判定処理部６２は、入力された前記計測情報フレーム内の前記無線装置識別データから無線装置２４を識別し、前記無線中継装置識別データから無線中継装置１６（１）を識別すると共に、前記降雨量情報の示す前記一定時間内の降雨量が異常値であるか否かを判定し、これらの結果を記憶部６４及び通信制御部６６に順次出力する。記憶部６４は、制御部６０から入力される前記計測情報フレームや、判定処理部６２から入力される前述した各結果を蓄積し、制御部６０からの指示に基づいて通信制御部６６に出力する。通信制御部６６は、判定処理部６２及び記憶部６４から入力される各データを、情報収集装置２６と画面情報生成装置２８とを接続する通信回線に送信可能な信号に変換し、変換した信号を前記通信回線を介して画面情報生成装置２８に順次送信する。
【００５８】
画面情報生成装置２８は、所定時間毎に受信された前記信号の示す各結果や前記計測地点の前記降雨量情報を１画面分の画面情報として生成し、この画面情報を通信回線を介して監視端末装置３０に順次送信する。
【００５９】
監視端末装置３０は、受信された前記画面情報の示す内容を図示しないディスプレイ上に順次表示する。
【００６０】
本実施の形態に係る計測情報収集システム１０は、基本的には、以上のように構成されるものであり、次に、雨量計２２で前記一定時間内の降雨量を計測して、この計測結果を無線装置２４から２つの無線中継装置１６（ｊ）に対して無線１４、２０を介して送信し、各無線中継装置１６（ｊ）から無線１５を介して情報収集装置２６で受信する収集処理について、図３〜図６のフローチャートを参照しながら説明する。
【００６１】
このフローチャートは、前記一定時間内に雨量計２２で計測された前記降雨量を１計測分の降雨量情報として情報収集装置２６で収集することを示すものであり、実際の収集処理では、このフローチャートに示される処理を所定時間毎に繰り返し行っている。
【００６２】
ここでは、図１に示すように、代表的に、観測局１２（３）から無線中継装置１６（１）及び無線中継装置１６（２）を介して情報収集装置２６に至る２つのルート（無線１４、無線中継装置１６（１）及び無線１５のルート（Ａルート）と、無線２０、無線中継装置１６（２）及び無線１５のルート（Ｂルート））で計測情報フレームを送信する場合について説明する。なお、以下、便宜的に、無線中継装置１６（１）をＡ中継装置１６（１）とし、無線中継装置１６（２）をＢ中継装置１６（２）として説明する。
【００６３】
先ず、図３に示すように、雨量計２２（図１及び図２参照）は、自己の計測地点における一定時間内の降雨量を計測する（ステップＳ１）。具体的には、雨量計２２内の前記転倒ますに雨水が蓄積され、蓄積された前記雨水が所定量を越えると、その重みで前記転倒ますが転倒して蓄積された前記雨水を排出する。前記転倒ますの転倒を前記センサで検出することにより、１回の転倒における降雨量が計測される。次いで、前記センサは、前記転倒の検出結果をパルス信号として無線装置２４に出力する（ステップＳ２）。なお、ステップＳ１、Ｓ２において、前記一定時間内に前記転倒ますが複数回転倒すれば、前記センサは、前記転倒ますの転倒毎に検出処理を行って、前記パルス信号を無線装置２４に順次出力する。
【００６４】
次いで、無線装置２４のカウンタ３４は、雨量計２２から前記一定時間内に順次入力される前記パルス信号の数をカウントし（ステップＳ３）、カウントしたパルス数を前記一定時間内における前記転倒ますの転倒回数を示すデジタルデータとして制御部３６に出力する。
【００６５】
制御部３６は、入力された前記デジタルデータと、予め登録された前記転倒ますの転倒における貯水量とから、前記計測地点における前記一定時間内の降雨量を算出する（ステップＳ４）。
【００６６】
また、制御部３６には、観測局１２（３）の無線装置２４を識別する無線装置識別データ（２進数のデジタルデータ）が予め登録されている。ここで、制御部３６は、前記降雨量を示す降雨量情報（２進数のデジタルデータ）と、前記無線装置識別データとを含む計測情報フレームを生成して変調部３８に出力する（ステップＳ５）。
【００６７】
前記計測情報フレームは、図７に示すように、ＨＤＬＣ（High-level Data Link Control procedures）による２進数のデジタルデータのフレームであり、２つのフラグシーケンスと、アドレス部と、制御部と、情報部と、フレーム検査シーケンスとから構成されている。
【００６８】
前記各フラグシーケンスは、前記計測情報フレームの先頭及び最後尾に配置された前記フレームの開始あるいは終了を示すデータである。
【００６９】
前記アドレス部は、無線装置識別データ部と無線中継装置識別データ部とから構成されており、前記無線装置識別データ部には、観測局１２（３）（図１及び図２参照）における自己の無線装置２４を識別する無線装置識別データが格納され、前記無線中継装置識別データ部には、無線中継装置１６（１）、１６（２）を識別する無線中継装置識別データが格納可能である。なお、前記無線中継装置識別データ部に対する前記無線中継装置識別データの格納処理は、無線中継装置１６（１）、１６（２）において行われる。
【００７０】
前記制御部は、前記計測情報フレームを無線装置２４から送信する際における各データの送信順序を示すデータが格納されている。
【００７１】
前記情報部には、前記降雨量情報が格納される。
【００７２】
前記フレーム検査シーケンスは、無線装置２４からの前記計測情報フレームを情報収集装置２６が受信した際に、伝送上の誤りを検出するための情報が格納されている。
【００７３】
図３のステップＳ５において、制御部３６（図２参照）は、前記降雨量情報を前記情報部に格納すると共に、前記無線装置識別データ部に自己の無線装置２４を識別する無線装置識別データを格納してから前記計測情報フレームを変調部３８に出力する。
【００７４】
次いで、変調部３８は、入力された前記計測情報フレームに対して変調処理を行い、この変調信号に搬送波信号を重畳して送信部４０に出力する（ステップＳ６）。
【００７５】
送信部４０は、入力された前記変調信号及び前記搬送波信号の重畳信号を電気信号から電波に変換し、前記電波をアンテナ４２から無線１４を介してＡ中継装置１６（１）に送信すると共に、無線２０を介してＢ中継装置１６（２）に送信する（ステップＳ７）。
【００７６】
Ａ中継装置１６（１）では、前記電波をアンテナ４４を介して受信し（ステップＳ８）、送受信部４６は、受信した前記電波を電気信号に変換して変復調部４８に出力する。変復調部４８は、入力された前記電気信号の復調処理を行って前記計測情報フレームを抽出し、抽出された前記計測情報フレームをデータ書込処理部５２に出力する。データ書込処理部５２は、入力された前記計測情報フレーム内の前記無線中継装置識別データ部にＡ中継装置１６（１）を識別する無線中継装置識別データを付与する（ステップＳ９）。
【００７７】
前記無線中継装置識別データが付与された前記計測情報フレームは、データ書込処理部５２から変復調部４８に出力される。変復調部４８は、入力された前記計測情報フレームに対して変調処理を行い、変調信号に搬送波信号を重畳して送受信部４６に出力する。送受信部４６は、入力された前記変調信号及び前記搬送波信号の重畳信号を電気信号から電波に変換し、前記電波をアンテナ４４から無線１５を介して監視局１８の情報収集装置２６に送信する（ステップＳ１０）。
【００７８】
一方、Ｂ中継装置１６（２）では、ステップＳ７で無線装置２４から無線２０を介して送信された前記電波を、アンテナ４４を介して受信し（ステップＳ１１）、送受信部４６は、受信した前記電波を電気信号に変換して変復調部４８に出力する。変復調部４８は、入力された前記電気信号の復調処理を行って前記計測情報フレームを抽出し、抽出された前記計測情報フレームをデータ書込処理部５２に出力する。データ書込処理部５２は、入力された前記計測情報フレーム内の無線中継装置識別データ部にＢ中継装置１６（２）を識別する無線中継装置識別データを付与する（ステップＳ１２）。
【００７９】
前記無線中継装置識別データが付与された前記計測情報フレームは、データ書込処理部５２から変復調部４８に出力される。変復調部４８は、入力された前記計測情報フレームに対して変調処理を行い、変調信号に搬送波信号を重畳して送受信部４６に出力する。送受信部４６は、入力された前記変調信号及び前記搬送波信号の重畳信号を電気信号から電波に変換し、前記電波をアンテナ４４から無線１５を介して監視局１８の情報収集装置２６に送信する（ステップＳ１３）。
【００８０】
情報収集装置２６では、Ａ中継装置１６（１）からの前記電波と、Ｂ中継装置１６（２）からの前記電波とをアンテナ５４を介して各々受信し（ステップＳ１４）、受信部５６は、受信された前記各電波を電気信号に各々変換して復調部５８に出力する。復調部５８は、入力された前記各電気信号の復調処理を各々行って前記各計測情報フレームを抽出し、抽出された前記各計測情報フレームを制御部６０に各々出力する。
【００８１】
制御部６０は、入力された前記各計測情報フレームの制御部（図７参照）の内容より、前記各計測情報フレーム内の各データが前記内容通りに配列されているか否かを調べると共に、フレーム検査シーケンスの内容より、前記各計測情報フレームのデジタルデータの内容に誤りがあるか否かを検査する。上述した検査の後、制御部６０は、前記各計測情報フレームを判定処理部６２と記憶部６４とに各々出力する。
【００８２】
判定処理部６２では、入力された前記各計測情報フレームの内容を調べて、図４〜図６のフローチャートに示す各判定処理を行う。
【００８３】
図４のフローチャートにおいて、判定処理部６２は、入力された前記各計測情報フレーム内の無線装置識別データ部から無線装置識別データを読み取ると共に、無線中継装置識別データ部から無線中継装置識別データを読み取る（ステップＳ１５）。これにより、判定処理部６２は、入力された２つの前記計測情報フレームがどのルート（Ａルート又はＢルート）を介して無線装置２４から情報収集装置２６に送信されたのかを把握することができる。
【００８４】
また、判定処理部６２は、前記各無線装置識別データを比較することにより、受信された前記各計測情報フレームは、同一の無線装置２４からのフレームであるか否かを判定することができる。ここで、２つの前記無線装置データが一致した場合、判定処理部６２は、受信した前記各計測情報フレームは同一の無線装置２４からのフレームであると判断し、ステップＳ１６以降の処理を行う。一方、２つの前記無線装置データが一致しない場合、判定処理部６２は、受信した前記各計測情報フレームは同一の無線装置２４からのフレームではないと判断する。
【００８５】
次いで、判定処理部６２は、Ａ中継装置１６（１）からの計測情報フレームについて、その情報部（図７参照）に降雨量情報が格納されているか否かを判定する（ステップＳ１６）。
【００８６】
ステップＳ１６において、前記情報部に前記降雨量情報が格納されていると判定された場合、判定処理部６２は、格納されている前記降雨量情報の示す降雨量が、予め登録されている閾値αよりも大きいか否かを判定する（ステップＳ１７）。
【００８７】
ここで、閾値αとは、例えば、雨量計２２（図１及び図２参照）で一定時間内に計測可能な最大降雨量を示し、前記降雨量情報の示す降雨量が閾値αよりも大きければ、判定処理部６２は、雨量計２２、無線装置２４、Ａ中継装置１６（１）及びＢ中継装置１６（２）のうち少なくとも１つが故障状態であるか、又は無線１４、２０の見通しが良好でないと判定する。
【００８８】
ステップＳ１７において、前記降雨量が閾値αよりも大きいと判定された場合、判定処理部６２は、前記降雨量が異常に大きな値であると判断し、次いで、Ｂ中継装置１６（２）からの計測情報フレームに格納されている降雨量情報の示す降雨量が、閾値αよりも大きいか否かを判定する（ステップＳ１８）。
【００８９】
ステップＳ１８において、前記降雨量が閾値αよりも大きいと判定された場合、判定処理部６２は、Ａルート及びＢルートを介して受信された前記各計測情報フレーム内の降雨量情報の示す各降雨量が異常に大きな値であるので、雨量計２２が故障状態にあるものと判断し（ステップＳ１９）、この判断結果と、雨量計２２に接続される無線装置２４の無線装置識別データとを対にして記憶部６４に出力する。記憶部６４は、入力された前記判断結果及び前記無線装置識別データを記憶する。
【００９０】
また、ステップＳ１８において、Ｂ中継装置１６（２）からの計測情報フレームにおける降雨量が閾値αよりも小さいと判定された場合、判定処理部６２は、Ａ中継装置１６（１）からの前記計測情報フレームにおける降雨量が異常に大きな値であるので、Ａ中継装置１６（１）が故障しているか、あるいは無線１４、１５の見通しが良好でないものと判断する（ステップＳ２０）。この判断結果より、判定処理部６２は、Ｂ中継装置１６（２）からの前記計測情報フレームにおける前記降雨量を、雨量計２２で計測された降雨量と判定し（ステップＳ２１）、この降雨量と観測局１２（３）の無線装置２４を示す無線装置識別データとを対にして記憶部６４に出力する。記憶部６４は、入力された前記降雨量及び前記無線装置識別データを記憶する。
【００９１】
また、ステップＳ１６において、Ａ中継装置１６（１）からの前記計測情報フレーム内の前記情報部に前記降雨量情報が格納されていないと判定された場合、判定処理部６２は、Ｂ中継装置１６（２）からの前記計測情報フレームにおける情報部に降雨量情報が格納されているか否かを判定する（ステップＳ２２）。
【００９２】
ステップＳ２２において、前記計測情報フレームに前記降雨量情報が格納されていると判定された場合、判定処理部６２は、ステップＳ１８以降の判定処理を行う。
【００９３】
一方、ステップＳ２２において、Ｂ中継装置１６（２）からの前記計測情報フレームにも前記降雨量情報が格納されていないと判定された場合、判定処理部６２は、無線装置２４が故障状態にあるか、又は雨量計２２が故障状態にあって降雨量の計測ができなかったものと判断し（ステップＳ２３）、この判断結果と観測局１２（３）の無線装置２４を示す無線装置識別データとを対にして記憶部６４に出力する。記憶部６４は、入力された前記判断結果及び前記無線装置識別データを記憶する。
【００９４】
また、ステップＳ１５の後、判定処理部６２は、ステップＳ１６の処理と同様に、Ｂ中継装置１６（２）からの計測情報フレームについて、その情報部（図７参照）に降雨量情報が格納されているか否かを判定する（図５のステップＳ２４）。
【００９５】
ステップＳ２４において、前記情報部に前記降雨量情報が格納されていると判定された場合、判定処理部６２は、格納されている前記降雨量情報の示す降雨量が、閾値αよりも大きいか否かを判定する（ステップＳ２５）。
【００９６】
ステップＳ２５において、前記降雨量が閾値αよりも大きいと判定された場合、判定処理部６２は、前記降雨量が異常に大きな値であると判断し、判定処理部６２に入力されたＡ中継装置１６（１）からの計測情報フレームに格納されている降雨量情報の示す降雨量が閾値αよりも大きいか否かを判定する（ステップＳ２６）。
【００９７】
ステップＳ２６において、前記降雨量が閾値αよりも大きいと判定された場合、判定処理部６２は、Ａルート及びＢルートを介して受信された前記各計測情報フレーム内の降雨量情報の示す各降雨量が異常に大きな値であるので、雨量計２２が故障状態にあるものと判断し（ステップＳ２７）、この判断結果と雨量計２２に接続される無線装置２４を示す無線装置識別データとを対にして記憶部６４に出力する。記憶部６４は、入力された前記判断結果及び前記無線装置識別データを記憶する。
【００９８】
また、ステップＳ２６において、前記降雨量が閾値αよりも小さいと判定された場合、判定処理部６２は、Ｂ中継装置１６（２）からの計測情報フレーム内の降雨量情報を示す降雨量が異常に大きな値であるので、Ｂ中継装置１６（２）が故障しているか、あるいは無線２０、１５の見通しが良好でないものと判断する（ステップＳ２８）。この判断より、判定処理部６２は、Ａ中継装置１６（１）からの前記計測情報フレーム内の降雨量情報を示す降雨量を雨量計２２で計測された降雨量と判断し（ステップＳ２９）、前記降雨量と観測局１２（３）の無線装置２４を示す無線装置識別データとを対にして記憶部６４に出力する。記憶部６４は、入力された前記降雨量及び前記無線装置識別データを記憶する。
【００９９】
また、ステップＳ２４において、Ｂ中継装置１６（２）からの前記計測情報フレーム内の前記情報部に前記降雨量情報が格納されていないと判定された場合、判定処理部６２は、Ａ中継装置１６（１）からの計測情報フレームにおける情報部に降雨量情報が格納されているか否かを判定する（ステップＳ３０）。
【０１００】
ステップＳ３０において、前記計測情報フレームに前記降雨量情報が格納されていると判定された場合、判定処理部６２は、ステップＳ２６以降の判定処理を行う。
【０１０１】
一方、ステップＳ３０において、Ａ中継装置１６（１）からの前記計測情報フレームにも前記降雨量情報が格納されていないと判定された場合、判定処理部６２は、無線装置２４が故障状態にあるか、又は雨量計２２が故障状態にあって降雨量の計測ができなかったものと判断し（ステップＳ３１）、この判断結果と観測局１２（３）の無線装置２４を示す無線装置識別データとを対にして記憶部６４に出力する。記憶部６４は、入力された前記判断結果及び前記無線装置識別データを記憶する。
【０１０２】
ステップＳ１７、Ｓ２５において、前記各降雨量が閾値αよりも小さいと判定された場合、判定処理部６２は、Ａルート及びＢルートの２つのルートから降雨量情報を各々収集できたことを認識すると共に、Ａ中継装置１６（１）からの計測情報フレームに含まれる降雨量情報と、Ｂ中継装置１６（２）からの計測情報フレームに含まれる降雨量情報とが一致するか否かを判定する（図６のステップＳ３２）。
【０１０３】
ステップＳ３２において、各降雨量情報が一致した場合、判定処理部６２は、前記各降雨量情報の示す降雨量が雨量計２２で計測された降雨量を示すものであると判定すると共に、観測局１２（３）と情報収集装置２６との間の２つのルート（Ａルート及びＢルート）の通信状態は正常であると判断し（ステップＳ３３）、これらの判断結果と前記降雨量と無線装置２４を示す無線装置識別データとを対にして記憶部６４に出力する。記憶部６４は、入力された前記判断結果、前記降雨量及び前記無線装置識別データを記憶する。
【０１０４】
一方、ステップＳ３２において、各降雨量情報が一致しない場合、判定処理部６２は、雨量計２２と情報収集装置２６との間のＡルート及びＢルートの通信状態は正常であるが、雨量計２２が故障状態であるものと判断し（ステップＳ３４）、これらの判断結果と無線装置２４を示す無線装置識別データとを対にして記憶部６４に出力する。記憶部６４は、入力された前記判断結果及び前記無線装置識別データを記憶する。
【０１０５】
次いで、制御部３６は、ステップＳ１９、Ｓ２１、Ｓ２３、Ｓ２７、Ｓ２９、Ｓ３１、Ｓ３３、Ｓ３４のいずれかの判定処理後に無線装置識別データ、判断結果及び降雨量情報が蓄積された記憶部６４に対して指示信号を伝達する。記憶部６４は、伝達された前記指示信号に基づいて、上述した各データを通信制御部６６に出力する。通信制御部６６は、入力された前記各データを通信回線を介して画面情報生成装置２８に送信する（ステップＳ３５）。
【０１０６】
画面情報生成装置２８は、受信された前記各データから（ステップＳ３６）、雨量計２２の計測地点、降雨量及び各判断結果の内容を示す画面情報を生成し（ステップＳ３７）、この画面情報を通信回線を介して監視端末装置３０に送信する（ステップＳ３８）。
【０１０７】
監視端末装置３０は、受信された前記画面情報（ステップＳ３９）の示す上述した内容を図示しないディスプレイ上に表示する（ステップＳ４０）。
【０１０８】
上述した降雨量情報の収集処理では、Ａルートに１つの無線中継装置１６（１）が配置され、且つＢルートに１つの無線中継装置１６（２）が配置された状態で、観測局１２（３）からこれらの２つのルートを介して情報収集装置２６に計測情報フレームを送信する場合について説明した。
【０１０９】
次に、観測局１２（４）（図１参照）の無線装置２４から無線２０、無線中継装置１６（１）及び無線１５のルート（以下、Ｃルートという）と、無線１４、無線中継装置１６（３）、無線１５、無線中継装置１６（２）及び無線１５のルート（以下、Ｄルートという）とを介して情報収集装置２６に計測情報フレームを送信する場合、すなわち、２つのルートのうち１つのルート（ここではＤルート）に２つの無線中継装置１６（２）、１６（３）が配置される場合における降雨量情報の収集処理について説明する。
【０１１０】
この収集処理では、図７に示す計測情報フレームの無線中継装置識別データ部を、２つの無線中継装置１６（ｊ）の無線中継装置識別データを各々格納する第１無線中継装置識別データ部及び第２無線中継装置識別データ部（図示せず）から構成する。
【０１１１】
そして、情報収集装置２６の判定処理部６２では、Ｃルートを介して受信された計測情報フレームに対しては、前述したＡ中継装置１６（１）を介して受信した計測情報フレームに対する判定処理（図３〜図６参照）と同様の処理を行う。
【０１１２】
また、判定処理部６２は、Ｄルートを介して受信された計測情報フレームに対して、ステップＳ１５で、前記第１及び第２無線中継装置識別データ部に格納された各無線中継装置識別データを読み取り、ステップＳ１６以降の判定処理において、前述したＢ中継装置１６（２）を介して受信した計測情報フレームに対する判定処理（図４〜図６参照）と同様の処理を行う。
【０１１３】
これにより、情報収集装置２６の判定処理部６２は、前記各計測情報フレームが上述したどのルート（Ｃルート又はＤルート）を介して受信したものであるかを把握することができる。
【０１１４】
次に、観測局１２（１）（図１参照）の無線装置２４から無線１４のルート（以下、Ｅルートという）と、無線２０、無線中継装置１６（１）及び無線１５のルート（以下、Ｆルートという）とを介して情報収集装置２６に計測情報フレームを送信する場合、すなわち、２つのルートのうち１つのルート（ここではＥルート）によって無線装置２４が無線１４を介して情報収集装置２６に直接接続されている場合における降雨量情報の収集処理について説明する。
【０１１５】
この場合、Ｅルートには無線中継装置１６（ｊ）が配置されていないので、このＥルートを介して送信される計測情報フレーム（図７参照）には無線中継装置識別データが付与されていない。そのため、情報収集装置２６は、ステップＳ１５において前記計測情報フレームのアドレス部内の各データを読み取ることにより、無線装置識別データは格納されているが、無線中継装置識別データは格納されていないことを把握する。この結果より、判定処理部６２は、この計測情報フレームが無線中継装置１６（ｊ）を介さずに受信されたフレームであると判定する。
【０１１６】
ステップＳ１５以降の判定処理において、判定処理部６２は、Ｅルートからの前記計測情報フレームについて、無線中継装置識別データが付与されていないフレームとして、前述したＡ中継装置１６（１）を介して受信した計測情報フレームに対する判定処理（図４〜図６参照）と同様の処理を行う。また、判定処理部６２は、Ｆルートからの計測情報フレームについて、前述したＢ中継装置１６（２）を介して受信した計測情報フレームに対する判定処理（図４〜図６参照）と同様の処理を行う。
【０１１７】
図８及び図９は、従来技術に係る計測情報収集システム１００における無線装置１１２の故障検出と、本実施の形態に係る計測情報収集システム１０における無線装置２４の故障検出とを比較したものである。
【０１１８】
図８に示す従来技術に係る計測情報収集システム１００において、観測局１０２（２）の無線装置１１２が故障した場合、無線装置１１２から情報収集装置１１４に計測情報フレームが送信されることはない。しかしながら、情報収集装置１１４では、前記計測情報フレームを受信できない原因は、無線装置１１２の故障によるものか、無線中継装置１０６の故障によるものか、あるいは無線１０４の見通しが良好でないためであるかを判断することができない。
【０１１９】
これに対して、図９に示す本実施の形態に係る計測情報収集システム１０では、判定処理部６２でのステップＳ２２、Ｓ３０（図４及び図５参照）の処理により、情報収集装置２６から無線装置２４の故障を判定することが可能である。
【０１２０】
また、計測情報収集システム１０では、雨量計２２が故障した場合、ステップＳ１８、Ｓ２６、Ｓ３４の処理により、情報収集装置２６から雨量計２２の故障を判定することが可能である。
【０１２１】
さらに、計測情報収集システム１０では、無線１４の見通しが良好でない場合、ステップＳ１８、Ｓ２６の処理により、情報収集装置２６から無線１４の見通しが良好でないことを判定することが可能である。
【０１２２】
このように、本実施の形態に係る計測情報収集システム１０では、無線装置２４が、雨量計２２から入力された降雨量情報を少なくとも２つの無線中継装置１６（ｊ）を介して情報収集装置２６に送信するので、情報収集装置２６は、前記降雨量情報をＡルート及びＢルート（あるいはＣルート及びＤルート）の２つのルートから受信することになる。これにより、情報収集装置２６は、一方のルートに設置された無線中継装置１６（ｊ）が故障しても、他方のルートに設置した無線中継装置１６（ｊ）を介して前記降雨量情報を確実に受信することができるので、１つのルートで降雨量情報を収集する従来技術に係る計測情報収集システム１００と比較して、システム全体の信頼性を高めることができる。
【０１２３】
また、本実施の形態に係る計測情報収集システム１０では、情報収集装置２６が無線１４、１５、２０によるＡルート及びＢルート（あるいはＣルート及びＤルート）の２つのルートを介して前記降雨量情報を受信するので、無線１０４と有線によるケーブル１２２とを併用する従来技術に係る計測情報収集システム１２０と比較して、低コスト且つ短期間でシステムを構築することが可能となる。
【０１２４】
従って、本実施の形態に係る計測情報収集システム１０では、山間部における前記各降雨量を情報収集装置２６で確実に収集することが可能となる。
【０１２５】
また、情報収集装置２６がＡルート及びＢルート（又はＣルート及びＤルート）を介して無線装置２４から受信した各計測情報フレームには、無線装置識別データと降雨量情報とが含まれているので、判定処理部６２は、受信した前記各計測情報フレームの前記無線装置識別データと前記各降雨量情報とを調べることにより、前記各降雨量情報が、この無線装置２４からの降雨量情報であるか否かを判定することが可能となり、無線装置２４から前記降雨量情報を確実に収集することができる。
【０１２６】
さらに、各無線中継装置１６（ｊ）において、受信した計測情報識別フレームに対して無線中継装置識別データを付与し、前記データが付与された前記計測情報フレームを情報収集装置２６に各々送信するようにしたので、情報収集装置２６は、受信した前記計測情報フレーム内の無線装置識別データと前記無線中継装置識別データと前記降雨量情報とを調べることにより、どのルートを介して前記降雨量情報が収集されたのかを容易に把握することができる。これにより、前記無線装置識別データの変更処理や、前記計測情報フレームを示す電波の周波数の変換処理が不要となり、各無線中継装置１６（ｊ）の内部構成が簡素化されるので、従来技術に係る計測情報収集システム１００、１２０と比較して、システム全体の構築コストを低減することが可能となる。
【０１２７】
また、本実施の形態に係る計測情報収集システム１０では、無線装置２４が、雨量計２２から入力された降雨量情報を無線中継装置１６（ｊ）と無線１４とを介して情報収集装置２６に送信するので、情報収集装置２６は、前記降雨量情報をＥルート及びＦルートの２つのルートから受信することになる。これにより、情報収集装置２６は、Ｆルートに設置された無線中継装置１６（ｊ）が故障しても、Ｅルートである無線１４を介して前記降雨量情報を確実に受信することができるので、１つのルートで降雨量情報を収集する従来技術に係る計測情報収集システム１００と比較して、システム全体の信頼性を高めることができる。
【０１２８】
さらに、本実施の形態に係る計測情報収集システム１０では、情報収集装置２６が無線１４及び無線中継装置１６（ｊ）によるＥルート及びＦルートの２つのルートを介して降雨量情報を受信するので、無線１０４と有線によるケーブル１２２とを併用する従来技術に係る計測情報収集システム１２０と比較して、低コスト且つ短期間でシステムを構築することが可能となる。
【０１２９】
従って、この場合でも、山間部における各降雨量を情報収集装置２６で確実に収集することが可能となる。
【０１３０】
なお、本発明に係る計測情報システムは、上述の実施の形態に限らず、本発明の要旨を逸脱することなく、種々の構成を採り得ることは勿論である。
【図面の簡単な説明】
【０１３１】
【図１】本実施の形態に係る計測情報収集システムの説明図である。
【図２】図１の計測情報収集システムを示すブロック図である。
【図３】図１及び図２の計測情報収集システムによる降雨量の収集処理を示すフローチャートである。
【図４】判定処理部における判定処理を示すフローチャートである。
【図５】判定処理部における判定処理を示すフローチャートである。
【図６】判定処理部における判定処理を示すフローチャートである。
【図７】無線装置から送信される計測情報フレームを示す説明図である。
【図８】従来技術に係る計測情報収集システムにおける故障箇所検出の説明図である。
【図９】図１及び図２の計測情報収集システムにおける故障箇所検出の説明図である。
【図１０】従来技術に係る計測情報収集システムの説明図である。
【図１１】従来技術に係る計測情報収集システムの説明図である。
【符号の説明】
【０１３２】
１０…計測情報収集システム      １２（ｉ）…観測局
１４、１５、２０…無線          １６（ｊ）…無線中継装置
１８…監視局                    ２２…雨量計
２４…無線装置                  ２６…情報収集装置
２８…画面情報生成装置          ３０…監視端末装置
３２…無線中継局                ３４…カウンタ
３６、６０…制御部              ３８…変調部
４０…送信部                    ４２、４４、５４…アンテナ
４６…送受信部                  ４８…変復調部
５２…データ書込処理部          ５６…受信部
５８…復調部                    ６２…判定処理部
６４…記憶部                    ６６…通信制御部
【図１】
2005341451.tif 000003
【図２】
2005341451.tif 000004
【図３】
2005341451.tif 000005
【図４】
2005341451.tif 000006
【図５】
2005341451.tif 000007
【図６】
2005341451.tif 000008
【図７】
2005341451.tif 000009
【図８】
2005341451.tif 000010
【図９】
2005341451.tif 000011
【図１０】
2005341451.tif 000012
【図１１】
2005341451.tif 000013